(57)【特許請求の範囲】
【請求項１】
ソックス、特にスポーツ活動に際して使用するためのソックスであって、当該ソックスが、アキレス腱の領域にクッション装置を有しており、クッション装置が、少なくとも２つのスペーサクッション（２４，２５）から形成されており、該スペーサクッション（２４，２５）が、両側でアキレス腱に沿って配置されていて、スペーサクッション（２４，２５）間に１つのウェブが設けられている形式のものにおいて、ウェブ（２６）がスペーサクッション（２４，２５）間に嵌め込まれていて、スペーサクッション（２４，２５）が、ウェブ（２６）を越えて外方に向かって突出していることを特徴とするソックス。
【請求項２】
ウェブ（２６）がクッションとして形成されており、該クッションが、スペーサクッション（２４，２５）よりも少ない厚さを有している、請求項１記載のソックス。
【請求項３】
スペーサクッション（２４，２５）が中空室・繊維から成っており、該中空室・繊維を中心としてウールまたはコットンが紡績されている、請求項１または２記載のソックス。
【請求項４】
当該ソックスが、別のクッション（２２，２３）を有している、請求項１から３までのいずれか１項記載のソックス。
【請求項５】
当該ソックスが、踏み領域（１３）を起点として口（２１）まで達する空気通路（２７）を有している、請求項１から４までのいずれか１項記載のソックス。
【発明の詳細な説明】
【技術分野】
【０００１】
本発明は、ソックス、特にスポーツ活動に際して使用するためのソックスであって、当該ソックスが、アキレス腱の領域にクッション装置を有している形式のものに関する。
【０００２】
特にスポーツ活動に際して、人間の足は、通常、固い履物内に格納されている。さらにこの場合、人間の足は頻繁にソックスによって取り囲まれている。スポーツ活動に際しては、多くのかつ速い動きに基づいて、動力学的な衝撃負荷に伴って靴内の足に増大された摩擦が生じる。この摩擦には、特に、突出しているアキレス腱の領域も見舞われている。履物に応じて種々異なる高さでアキレス腱に接触している靴胴の、通常は硬い縁部によって、アキレス腱は、さらに、点状に作用する摩擦作用および衝撃作用によって、極度に負荷されることがあり得る。このことによって、足が予想よりも早く疲労することがあり得、アキレス腱の損傷に至るまでの擦過傷ができることがあり得る。
【０００３】
摩擦を減少させるためにかつ衝撃を弱めるために、ソックスに、軟らかいクッションが付けられたつま先領域、足裏領域およびかかと領域を備えることが、とりわけ公知である（ドイツ連邦共和国実用新案第８７０１８３４号明細書参照）。アキレス腱の領域をクッションの配置によって保護することも、公知である（ドイツ連邦共和国実用新案第２００１６８２５号明細書）。しかしながら、公知のソックスでは、発生する摩擦負荷および衝撃負荷を十分にアキレス腱から遠ざけておくことはできない。
【０００４】
ここにおいて、本発明は従来のソックスの欠点を除去しようとするものである。本発明の課題は、ソックスによるアキレス腱の保護をさらに改善することである。本発明によればこの課題は、クッション装置が、少なくとも２つのスペーサクッションによって形成されており、これらのスペーサクッションが、両側でアキレス腱に沿って配置されていることによって解決される。
【０００５】
本発明によって、靴内におけるアキレス腱の保護をさらに改善するソックス、特にスポーツ活動用のソックスが提供される。両側でアキレス腱に沿って配置されている２つのスペーサクッションが設けられることによって、アキレス腱と靴との間に所定の間隔が得られ、このことによって、摩擦負荷および衝撃負荷がアキレス腱から遠ざけられ得る。
【０００６】
本発明の１実施態様では、スペーサクッション間にウェブが嵌め込まれている。この嵌め込まれたウェブによって、スペーサクッションは最適な位置に保持される。
【０００７】
ウェブは、本発明の別の実施態様では、クッションとして形成されており、該クッションは、スペーサクッションよりも少ない厚さを有している。ウェブの付加的なクッション装置によって、アキレス腱の保護がさらに高められる。一方では、ウェブの、より少ない厚さよって、スペーサクッションが高い信頼度でアキレス腱の両側におけるその位置を極度のスポーツ活動に際しても保持することが、保証されている。他方では、アキレス腱自体が、ウェブのクッション装置によって摩擦負荷および衝撃負荷から付加的に保護される。
【０００８】
本発明のさらに別の実施態様では、スペーサクッションはその形状に関して、アキレス腱の領域における足の解剖学的な形状に適応させられている。このことによって、クッション装置による動力学的な衝撃負荷の吸収が最適化され、アキレス腱の負荷が最小化される。
【０００９】
有利には、当該ソックスにはＸクロスバンデージ（X-Cross-Bandage）が装備されている。このＸクロスバンデージは、脚と足との間の移行領域におけるくるぶしを支える。
【００１０】
本発明のさらに別の実施態様では、当該ソックスは、少なくとも１つの空気通路を有しており、該空気通路は口から踏み領域内まで延びている。前記空気通路は、ソックス内の足の空調を最適化し、ひいては汗の発生を減少させる。
【００１１】
本発明の他の実施態様および構成は、残りの従属請求項に記載してある、本発明の１実施例を図面に示し、以下に詳細に説明する。
【００１２】
実施例として選択されたソックスは、足部分１と胴２とから成っている。足部分１は、つま先領域１１と、かかと領域１２と、つま先領域とかかと領域との間に位置する踏み領域１３とを有している。これらの領域１１，１２，１３は、実施例に示してあるように、強化された材料から製作されていてよい。材料組合せの使用、例えばウールと弾性繊維材料、例えばエラスタンとの材料組合せを使用することも、可能である。付加的なクッションまたはパッドを前記領域に配置することも、可能である。
【００１３】
胴２は、足部分１とは逆の側の端部に、口２１を備えている。くるぶしの領域に胴２はクッション２２を備えており、この場合、図示の例では棒状パッド（Stabpadding）が設けられている。他のクッションの形状が可能である。足部分の甲に移行しているすねの下方の領域にも、クッション２３が配置されている。
【００１４】
アキレス腱の領域には、２つのスペーサクッション２４，２５がアキレス腱の両側に配置されている。実施例では、スペーサクッション２４，２５の形状は、この領域における足の解剖学的構造に適応させられている。スペーサクッション２４，２５はかかと領域１２で始まっていて、先の方がより狭幅になって口２１で終わっている。スペーサクッション２４，２５間には、やはりかかと領域１２と口２１との間に延びているウェブ２６が嵌め込まれており、このウェブ２６はアキレス腱を受容する。スペーサクッション２４，２５は、ウェブ２６に比べて著しく突出するように形成されている（図２）。このことによって、アキレス腱がこのアキレス腱を取り囲んでいる履物に対して十分な間隔を有していることが、保証されている。摩擦作用および衝撃作用は、アキレス腱が負荷されることなく、直接にスペーサクッションによって吸収される。
【００１５】
ソックスには、さらに、Ｘクロスバンデージ（図示せず）が装備されていてよく、このＸクロスバンデージは、気候調整型の（klimaregulierend）弾性的な織布から形成されている。Ｘクロスバンデージは、脚と足との間の移行領域におけるくるぶしを支える。
【００１６】
本実施例では、踏み領域１３を起点として空気通路２７が延びており、この空気通路２７は口２１まで達していて、気候調整型の網状編布（Netzstrickgewebe）から形成されている。空気通路２７は、踏み領域から上方への湿気の導出に寄与する。このような空気通路２７は、ソックスにおける脚内面に設けられていてもよい。
【００１７】
クッションは、一般的に、プラスチック糸またはコンパウンド織布またはコンパウンド糸または類似の材料から製作されている。本実施例では、ソックスのクッション装置は、ウールまたはコットンが周囲に紡績されている中空室・繊維（Hohlkammer-Faser）から製作されている。中空室・プラスチック糸（Hohlkammer-Kunststoffgarne）は、特別に強く衝撃緩和作用および圧力緩和作用を有する。踏み領域１３は、磨耗を減少させるのに役立つマイクロ繊維編物から製作されていてよい。つま先およびかかと領域においても、要求に応じて足床がマイクロ繊維から製作されている。
【００１８】
明細書および特許請求の範囲において「ソックス」という表現を用いる限りでは、本発明はソックスだけに限定されない。むしろ、この概念には、やはり本発明が適用される長靴下、タイツもしくはストッキングおよびこれに類するものも含まれる。この場合、スペーサクッションは、必ずしもかかと領域から口まで案内されている必要はない。
【図面の簡単な説明】
【００１９】
【図１】ソックスの斜視図である。
【図２】図１におけるＩＩ−ＩＩ線に沿った断面図である。
【図１】
0004746322.tif 000002
【図２】
0004746322.tif 000003